(57)【特許請求の範囲】
【請求項１】
着用時に乳房を覆う左右一対のカップと、これらのカップを横一列につなぐ中央連結部と、上記カップの左右の縁部からそれぞれ左右の体側部まで延びる左右一対のサイド部とで構成されるフロント部と、上記サイド部の左右の縁部からそれぞれ横方向に延びて着用時に互いの先端部が背中で係合されるバック部と、上記フロント部の左右各一個所と上記バック部の左右各一個所とをそれぞれつなぐ左右一対の肩ひもとを備え、上記フロント部の手前側に、フロント部と略同形状の一枚生地であってフロント部を覆うカップカバーが設けられ、その上縁部と左右縁部はフロント部と縫合一体化され、その下縁部は縫合されずフリーの状態になっていることを特徴とするブラジャー。
【請求項２】
上記中央連結部と左右一対のサイド部とを構成する生地が非伸縮性生地からなり、上記バック部とカップカバーとが伸縮性生地からなる請求項１記載のブラジャー。
【請求項３】
上記フロント部の左右縁部の上下の幅が、８〜１２ｃｍに設定されている請求項１または２記載のブラジャー。
【発明の詳細な説明】
【０００１】
【発明の属する技術分野】
本発明は、外衣（アウター）にひびきにくいブラジャーに関するものである。
【０００２】
【従来の技術】
ブラジャーは、通常、図４に示すように、左右の乳房を被覆する２個のカップ１，２と、これらのカップ１，２を横一列につなぐ連結部３と、上記カップ１，２の左右の縁部からそれぞれ横方向に帯状に延びる左右一対の延長部４，５と、上記各カップ１，２の上縁部の一個所と上記各延長部４，５の上縁部の一個所とをそれぞれつなぐ左右一対の肩ひも６，７とで構成されている。そして、上記左右の延長部４，５の先端に、互いに係合するホック（図では見えない）が取り付けられており、これを背中側で係合させることにより、胸に左右のカップ１，２を押し付けた状態でブラジャーを装着することができるようになっている（バックホックタイプ）。また、上記延長部４，５を一続きの帯状体で形成し、胸の連結部３の中央を、ホックで着脱自在に係合できるようにしたもの（フロントホックタイプ）もある。
【０００３】
【発明が解決しようとする課題】
これらのブラジャーにおいて、従来は、カップ１，２に立体感を与えるために、例えば図４において鎖線で示すような縫合線８を入れていたが、最近は、ぴったりしたシルエットのアウターに、上記縫合線８がひびくことが嫌がられ、シームレスのつるんとしたカップ１，２が好まれる傾向にある。
【０００４】
ところが、いくらカップ１，２をシームレスにしても、カップ１，２の周囲の縫合線がアウターにひびいてブラジャーの存在が外からくっきりわかることがあるため、カップ１，２の周囲の縫合線についても、外からわからないよう隠すことが望まれている。
【０００５】
本発明は、このような事情に鑑みなされたもので、カップの周囲の縫合線がアウターにひびかず、前から見てすっきりした印象を与えることのできる、優れたブラジャーの提供をその目的とする。
【０００６】
【課題を解決するための手段】
上記の目的を達成するため、本発明は、着用時に乳房を覆う左右一対のカップと、これらのカップを横一列につなぐ中央連結部と、上記カップの左右の縁部からそれぞれ左右の体側部まで延びる左右一対のサイド部とで構成されるフロント部と、上記サイド部の左右の縁部からそれぞれ横方向に延びて着用時に互いの先端部が背中で係合されるバック部と、上記フロント部の左右各一個所と上記バック部の左右各一個所とをそれぞれつなぐ左右一対の肩ひもとを備え、上記フロント部の手前側に、フロント部と略同形状の一枚生地であってフロント部を覆うカップカバーが設けられ、その上縁部と左右縁部はフロント部と縫合一体化され、その下縁部は縫合されずフリーの状態になっているブラジャーを第１の要旨とする。
【０００７】
また、上記ブラジャーのなかでも、特に、上記中央連結部と左右一対のサイド部とを構成する生地が非伸縮性生地からなり、上記バック部とカップカバーとが伸縮性生地からなるブラジャーを第２の要旨とし、これらのなかでも、特に、上記フロント部の左右縁部の上下の幅が、８〜１２ｃｍに設定されているブラジャーを第３の要旨とする。
【０００８】
【発明の実施の形態】
つぎに、本発明の実施の形態について説明する。
【０００９】
図１は、本発明の一実施の形態であるブラジャーを、左右に延ばした状態の正面図を示し、図２は、これを裏から見た状態の背面図を示している。これらの図において、１０は、カップ１，２を横一列に連結する中央連結部、１１，１２は、カップ１，２の左右の縁部からそれぞれ左右の体側部まで延びるサイド部である。そして、左右のサイド部１１，１２までの、身体の前に装着される部分がフロント部１３である。また、上記サイド部１１，１２の左右の縁部からそれぞれさらに横方向に延びて互いの先端部が背中側で係合されるようになっている部分がバック部１４，１５である。なお、６，７は従来と同様の肩ひもで、その各先端に設けられた周知の係合用金具Ｐによって，ブラジャー本体に設けられた係合部Ｑに着脱自在に取り付けられるようになっている（図２参照）。
【００１０】
上記フロント部１３の手前側には、フロント部１３と略同形状の一枚生地からなるカップカバー２０が当てられて、上端部と左右縁部がフロント部１３に縫合一体化されて、フロント部１３を覆っている。
【００１１】
より詳しく説明すると、上記カップカバー２０は、フロント部１３の裏側において、図２に示すように、その上縁部が、カップ１，２の上縁部と縫合一体化されて表側に折り返されたのち、サイド部１１，１２の左右縁部に重なる部分が、バック部１４，１５との切り替え部２１，２２に縫い込まれて固定されている。なお、カップカバー２０の下縁部は、フロント部１３のどこにも縫合されず、フリーの状態である。
【００１２】
なお、上記カップカバー２０は、左右のバック部１４，１５に用いられる伸縮性生地と同一生地で形成されているが、左右のカップ１，２に当接する部分は、カップ１，２の突出形状に沿うよう膨出した形状が付与されている。
【００１３】
そして、左右のカップ１，２は、通常のカップとほぼ同様の構成であるが、特にこの例では、図１のＡ−Ａ′断面図である図３に示すように、カップ１（２も同じ）の芯材３０と、その表裏に重ねるカバー生地３１，３２とを縁部で一体的に止めるのに、従来よりも幅の広いバイアス生地３３が用いられている。そして、その側方にはみ出す部分の内側（肌に当たる方）に、テープ３４が中空状に縫合され、その中にワイヤ３５が挿通されているとともに、反対側に、保護用の厚地テープ３６が縫合されている。この部分は、鎖線で示すように、内側に折り返った状態で肌に当たるようになっており、硬いワイヤ３５が、何重にもテープ生地等で保護された状態となるため、肌への違和感が低減される。
【００１４】
一方、左右のカップ１，２（図２に戻る）を連結する中央連結部１０と左右のサイド部１１，１２は、全く伸縮性のない生地によって形成されている。これにより、左右のカップ１，２が、動きにくく規制されることになり、カップ１，２によるバスト矯正効果が高いものとなる。
【００１５】
また、上記サイド部１１，１２とバック部１４，１５の切り替え部２１，２２の上下方向の幅Ｘは９．５ｃｍに設定されており、通常のブラジャーに比べて幅広になっている。これは、前述の、中央連結部１０と左右のサイド部１１，１２によるカップ規制作用が効果的に働くよう考慮したもので、そのためには、８〜１２ｃｍ程度にすることが好適である。１２ｃｍを超えると、規制効果はあっても着用感、美観の点で好ましくない。そして、より規制力を高めるために、この切り替え部２１，２２に、比較的剛性の棒状芯材（６ｍｍ×９０ｍｍ×厚み２ｍｍの金属製芯表面を合成樹脂でコーティングしてなる芯材）が挿入されている。
【００１６】
さらに、左右に延びるバック部１４，１５の内側（肌に当たる側）には、その上下の縁部（図２において斜線で示す部分）に、ゴム層が帯状に形成されているため、肌に当接した状態で、これらの部分がずれにくいようになっている。したがって、これによっても、前述のカップ規制作用が助けられるようになっている。
【００１７】
このように、上記ブラジャーによれば、左右のカップ１，２を含むフロント部１３全体が、一枚生地からなるカップカバー２０によって覆われているため、カップ１，２の周囲に形成された縫合線が、上記カップカバー２０で隠されて曖昧になり、アウターにひびくことがない。しかも、胸に当てられたカップ１，２の動きが規制されるようなっているため、これを覆うカップカバー２０に、カップ１，２のずれに由来するしわ等が生じることがなく、外から見て、きれいな胸のラインを保つことができる。
【００１８】
なお、上記の例において、カップカバー２０は、フロント部１３の裏側上縁部で縫合して前に折り返して取り付けているが、必ずしもこのように縫合する必要はない。ただし、表側の上縁部で縫合すると、その部分に縫合線が形成されるため、フロント部１３においてできるだけ縫合線を隠す、という目的からすれば、上記の例のように、裏側で縫合することが好適である。
【００１９】
また、上記の例では、中央連結部１０とサイド部１１，１２を、全く伸縮しない生地で形成したが、ある程度伸縮性を備えていても、それが低いものであれば、カップ規制効果を奏するので用いることができる。その場合、伸長度が、経緯とも１０％以下のものが好適である。
【００２０】
さらに、上記の例では、カップ１，２へのワイヤ３６の取り付け方や、サイド部１１，１２とバック部１４，１５の切り替え部２１，２２の幅に工夫を凝らしているが、本発明では、これらの工夫は必ずしも必要ではない。
【００２１】
【発明の効果】
以上のように、本発明のブラジャーは、左右のカップを含むフロント部全体が、一枚生地からなるカップカバーによって覆われており、しかも、このカップカバーの上縁部と左右縁部はフロント部と縫合一体化され、その下縁部は縫合されずフリーの状態になっているため、カップの周囲に形成された縫合線が、上記カップカバーで隠されて曖昧となり、アウターにひびくことがない。また、従来、カップの突出先端部が、アウターと擦れて摩耗したり汚れたりして傷みやすかったが、上記カップカバーでカップが保護されるため、このようなトラブルが生じず、長期にわたって良好に使用できるという利点を有する。
【図面の簡単な説明】
【図１】本発明の一実施例の正面図である。
【図２】上記実施例の背面図である。
【図３】図１のＡ−Ａ′断面図である。
【図４】従来のブラジャーの一例を示す説明図である。
【符号の説明】
１，２  カップ
６，７  肩ひも
１０  中央連結部
１１，１２  サイド部
１３  フロント部
１４，１５  バック部
２０  カップカバー
【図１】
0003671124.tif 000002
【図２】
0003671124.tif 000003
【図３】
0003671124.tif 000004
【図４】
0003671124.tif 000005